(57)【特許請求の範囲】
【請求項１】
第１の磁性体が設置されたフロントスライダと、前記フロントスライダに対してスライドするパネルに設置された第２の磁性体と、を含むフロントアセンブリスライド構造であって、
前記フロントスライダが第１の位置に位置する場合に、前記第１の磁性体と前記第２の磁性体との位置が対向し、
前記第１の磁性体と前記第２の磁性体との間に第１の方向の作用力が存在する場合に、前記フロントスライダは、前記第１の位置から第２の位置までスライドし、
前記第１の磁性体と前記第２の磁性体との間に前記第１の方向と反対である第２の方向の作用力が存在する場合に、前記フロントスライダは、前記第２の位置から前記第１の位置までスライドし、
前記第１の方向及び前記第２の方向は、前記フロントスライダのスライド方向であり、
前記作用力は、前記第１の磁性体と前記第２の磁性体との間の吸引力及び反発力を含み、
前記第１の磁性体は、電磁石であり、前記第２の磁性体は、所定の方向に沿って並列する第１の磁石及び第２の磁石を含み、又は、前記第１の磁性体は、所定の方向に沿って並列する第１の磁石及び第２の磁石を含み、前記第２の磁性体は、電磁石であり、前記所定の方向は、前記第１の方向又は前記第２の方向であり、
前記第１の磁石と前記第２の磁石との前記電磁石に対向する磁極の磁性が反対であり、
前記電磁石が第３の方向の電流によって磁化された場合に、前記電磁石と前記第１の磁石との間には、前記第１の方向の吸引力が存在し、前記電磁石と前記第２の磁石との間には、前記第１の方向の反発力が存在し、
前記電磁石が前記第３の方向と反対である第４の方向の電流によって磁化された場合に、前記電磁石と前記第１の磁石との間には、前記第２の方向の反発力が存在し、前記電磁石と前記第２の磁石との間には、前記第２の方向の吸引力が存在する、
ことを特徴とするフロントアセンブリスライド構造。
【請求項２】
前記フロントスライダが前記第１の位置にある場合に、前記電磁石と前記第２の磁石とは密着され、且つ前記電磁石の中心位置と前記第２の磁石の中心位置とは、第１の所定の距離だけずれており、
前記フロントスライダが前記第２の位置にある場合に、前記電磁石と前記第１の磁石とは密着され、前記電磁石の中心位置と前記第１の磁石の中心位置とは、第２の所定の距離だけずれている、
ことを特徴とする請求項１に記載のフロントアセンブリスライド構造。
【請求項３】
前記第１の磁石の中心位置と前記第２の磁石の中心位置との間の距離は、所定の閾値より小さい、
ことを特徴とする請求項１に記載のフロントアセンブリスライド構造。
【請求項４】
前記フロントアセンブリスライド構造は、少なくとも１つの前記第１の磁性体を含み、且つ、
前記フロントアセンブリスライド構造は、少なくとも１つの前記第２の磁性体を含む、
ことを特徴とする請求項１に記載のフロントアセンブリスライド構造。
【請求項５】
前記フロントアセンブリスライド構造は、磁力線を集めるための磁気遮蔽片をさらに含み、
前記磁気遮蔽片は、前記第１の磁性体と前記第２の磁性体との間に位置する、
ことを特徴とする請求項１〜４のいずれかに記載のフロントアセンブリスライド構造。
【請求項６】
前記フロントアセンブリスライド構造は、接続されているスライドレール及びスライドプレートを含むスライドレールアセンブリをさらに含み、前記スライドレールは、前記パネルに設置され、前記フロントスライダは、前記スライドプレートに設置され、
前記フロントスライダは、前記スライドレールに対してスライドする前記スライドプレートにより、前記第１の位置から前記第２の位置までスライドし、
前記フロントスライダは、前記スライドレールに対してスライドする前記スライドプレートにより、前記第２の位置から前記第１の位置までスライドする、
ことを特徴とする請求項１〜５のいずれかに記載のフロントアセンブリスライド構造。
【請求項７】
前記第１の方向に、ユーザが前記フロントスライダに作用した作用力が存在する場合に、前記フロントスライダは、前記第１の位置から前記第２の位置までスライドし、
前記第２の方向に、ユーザが前記フロントスライダに作用した作用力が存在する場合に、前記フロントスライダは、前記第２の位置から前記第１の位置までスライドする、
ことを特徴とする請求項１〜６のいずれかに記載のフロントアセンブリスライド構造。
【請求項８】
前記フロントアセンブリスライド構造は、ホールセンサー及び第３の磁石を含むホール素子をさらに含み、
前記ホールセンサーは、前記フロントスライダに設置され、前記第３の磁石は、前記パネルに設置され、又は、前記ホールセンサーは、前記パネルに設置され、前記第３の磁石は、前記フロントスライダに設置され、
前記ホールセンサーは、前記第３の磁石に基づいて、前記フロントスライダが前記パネルに対してスライドしているスライド方向を決定するためのものであり、前記スライド方向が前記第１の方向である場合に、前記第３の方向の電流を生成するようにトリガし、前記スライド方向が前記第２の方向である場合に、前記第４の方向の電流を生成するようにトリガする、
ことを特徴とする請求項７に記載のフロントアセンブリスライド構造。
【請求項９】
スクリーンが設置されたフロントパネルと、メインボードが設置されたリアパネルと、請求項１〜８のいずれかに記載のフロントアセンブリスライド構造と、を含む端末であって、
前記フロントアセンブリスライド構造は、前記フロントパネル及び前記リアパネルにそれぞれ接続されており、
前記第１の位置は、前記フロントスライダにおけるフロント素子が前記フロントパネルによって遮蔽されている位置であり、前記第２の位置は、前記フロントスライダにおけるフロント素子が前記フロントパネルによって遮蔽されていない位置である、
ことを特徴とする端末。
【請求項１０】
前記フロントパネルと前記リアパネルとによってＵ形溝が形成され、前記フロントスライダは、前記Ｕ形溝内に設置され、
前記フロントスライダは、前記メインボードに接続され、前記第２の磁性体は、前記フロントスライダに対してスライドする前記フロントパネルに設置される、
ことを特徴とする請求項９に記載の端末。
【請求項１１】
前記フロントパネルと前記リアパネルとによって収容チャンバが形成され、
前記フロントスライダは、前記メインボードに設置され、前記第２の磁性体は、前記フロントスライダに対してスライドする前記フロントパネルに設置される、
ことを特徴とする請求項９に記載の端末。
【請求項１２】
前記第１の磁性体は、電磁石であり、前記第２の磁性体は、所定の方向に沿って並列する第１の磁石及び第２の磁石を含み、又は、前記第１の磁性体は、所定の方向に沿って並列する第１の磁石及び第２の磁石を含み、前記第２の磁性体は電磁石であり、前記電磁石は、前記メインボードに接続され、前記所定の方向は、前記第１の方向又は前記第２の方向であり、
前記第１の磁石と前記第２の磁石との前記電磁石に対向する磁極の磁性が反対であり、
前記電磁石が前記メインボードによって生成された第３の方向の電流によって磁化された場合に、前記電磁石と前記第１の磁石との間には、前記第１の方向の吸引力が存在し、前記電磁石と前記第２の磁石との間には、前記第１の方向の反発力が存在し、
前記電磁石が前記メインボードによって生成された、前記第３の方向と反対である第４の方向の電流によって磁化された場合に、前記電磁石と前記第１の磁石との間には、前記第２の方向の反発力が存在し、前記電磁石と前記第２の磁石との間には、前記第２の方向の吸引力が存在する、
ことを特徴とする請求項９又は１１に記載の端末。
【請求項１３】
前記フロントアセンブリスライド構造は、スライドレールアセンブリをさらに含み、前記スライドレールアセンブリは、接続されているスライドレール及びスライドプレートを含み、前記スライドレールは、前記フロントパネルに設置され、前記フロントスライダは、前記スライドプレートに設置され、前記スライドプレートは、前記メインボードに設置され、又は、前記スライドプレートは、前記メインボードに接続され、
前記フロントスライダは、前記スライドレールに対してスライドする前記スライドプレートにより、前記第１の位置から前記第２の位置までスライドし、
前記フロントスライダは、前記スライドレールに対してスライドする前記スライドプレートにより、前記第２の位置から前記第１の位置までスライドする、
ことを特徴とする請求項１２に記載の端末。
【請求項１４】
前記端末は、ホールセンサー及び第３の磁石を含むホール素子をさらに含み、
前記ホールセンサーは、前記フロントスライダに設置され、前記第３の磁石は、前記フロントパネルに設置され、又は、前記ホールセンサーは、前記フロントパネルに設置され、前記第３の磁石は、前記フロントスライダに設置され、前記ホールセンサーは、前記メインボードに接続され、
前記ホールセンサーは、前記第３の磁石に基づいて、前記フロントスライダがユーザの作用で前記フロントパネルに対してスライドしていると決定した場合に、第１のトリガ信号を生成して前記メインボードに報知し、
前記スライドのスライド方向が前記第１の方向である場合に、前記メインボードは、前記第１のトリガ信号に基づいて前記第３の方向の電流を生成し、前記電流を前記電磁石に出力し、前記スライドのスライド方向が前記第２の方向である場合に、前記メインボードは、前記第１のトリガ信号に基づいて前記第４の方向の電流を生成し、前記電流を前記電磁石に出力する、
ことを特徴とする請求項１２に記載の端末。
【請求項１５】
前記端末は、ホールセンサー及び第３の磁石を含むホール素子をさらに含み、
前記ホールセンサーは、前記フロントスライダに設置され、前記第３の磁石は、前記フロントパネルに設置され、又は、前記ホールセンサーは、前記フロントパネルに設置され、前記第３の磁石は、前記フロントスライダに設置され、
前記ホールセンサーは、前記第３の磁石に基づいて、前記フロントスライダがユーザの作用で前記フロントパネルに対してスライドしていると決定した場合に、第２のトリガ信号を生成して前記メインボードに報知し、
前記メインボードが、第１のアプリケーションを実行しているとともに、第２のアプリケーションの開始請求を受信した場合に、前記メインボードは、前記開始請求に基づいて前記第２のアプリケーションを開始し、前記第２のトリガ信号に基づいて、前記第２のアプリケーションが前記フロント素子を呼び出すことを許可し、前記スクリーンの画面を分割して取得された第１の領域内に前記第１のアプリケーションを表示し、画面を分割して取得された第２の領域内に前記第２のアプリケーションを表示する、
ことを特徴とする請求項１４に記載の端末。
【請求項１６】
請求項９〜１５のいずれかに記載の端末に応用されるフロントアセンブリスライド構造の制御方法であって、前記方法は、
制御命令を受信するステップと、
前記フロントスライダが前記第１の位置から前記第２の位置までスライドするように、前記制御命令に基づいて、前記第１の磁性体と前記第２の磁性体との間に前記第１の方向の作用力が存在するように制御するステップと、
前記フロントスライダが前記第２の位置から前記第１の位置までスライドするように、前記制御命令に基づいて、前記第１の磁性体と前記第２の磁性体との間に前記第１の方向と反対である前記第２の方向の作用力が存在するように制御するステップと、を含み、
前記第１の位置は、前記フロントスライダにおけるフロント素子が前記フロントパネルによって遮蔽されている位置であり、前記第２の位置は、前記フロントスライダにおけるフロント素子が前記フロントパネルによって遮蔽されていない位置である、
ことを特徴とするフロントアセンブリスライド構造の制御方法。
【請求項１７】
前記第１の磁性体が電磁石であり、前記第２の磁性体が、第１の磁石及び第２の磁石を含み、又は、前記第１の磁性体が、第１の磁石及び第２の磁石を含み、前記第２の磁性体が電磁石である場合に、前記制御命令に基づいて、前記第１の磁性体と前記第２の磁性体との間に前記第１の方向の作用力が存在するように制御するステップは、
前記制御命令に基づいて第３の方向の電流を生成し、前記第３の方向の電流は、前記電磁石を磁化し、磁化された前記電磁石は、前記第１の磁石との間には、前記第１の方向の吸引力が存在し、前記第２の磁性体との間には、前記第１の方向の反発力が存在するステップを含む、
ことを特徴とする請求項１６に記載の方法。
【請求項１８】
前記制御命令に基づいて、前記第１の磁性体と前記第２の磁性体との間に前記第２の方向の作用力が存在するように制御するステップは、
前記制御命令に基づいて前記第３の方向と反対である第４の方向の電流を生成し、前記第４の方向の電流は、前記電磁石を磁化し、磁化された前記電磁石と前記第１の磁石との間には、前記第２の方向の反発力が存在し、前記電磁石と前記第２の磁石との間には、前記第２の方向の吸引力が存在するステップを含む、
ことを特徴とする請求項１７に記載の方法。
【請求項１９】
前記フロントアセンブリスライド構造がホール素子をさらに含み、前記ホール素子が、ホールセンサー及び第３の磁石を含み、前記ホールセンサーが、前記フロントスライダに設置され、前記第３の磁石が、前記フロントパネルに設置され、又は、前記ホールセンサーが、前記フロントパネルに設置され、前記第３の磁石が、前記フロントスライダに設置される場合に、前記方法は、
前記ホールセンサーによって報知された、前記ホールセンサーが前記第３の磁石に基づいて前記フロントスライダがユーザの作用で前記フロントパネルに対してスライドしていると決定した時に生成した第１のトリガ信号を受信するステップと、
前記第１のトリガ信号に基づいて前記スライドのスライド方向が前記第１の方向であると決定した場合に、前記第３の方向の電流を生成し、前記電流を前記電磁石に出力するステップと、
前記第１のトリガ信号に基づいて前記スライドのスライド方向が前記第２の方向であると決定した場合に、前記第４の方向の電流を生成し、前記電流を前記電磁石に出力するステップと、をさらに含む、
ことを特徴とする請求項１８に記載の方法。
【請求項２０】
前記フロントアセンブリスライド構造がホール素子をさらに含み、前記ホール素子が、ホールセンサー及び第３の磁石を含み、前記ホールセンサーが、前記フロントスライダに設置され、前記第３の磁石が、前記フロントパネルに設置され、又は、前記ホールセンサーが、前記フロントパネルに設置され、前記第３の磁石が、前記フロントスライダに設置される場合に、前記方法は、
前記ホールセンサーによって報知された、前記ホールセンサーが前記第３の磁石に基づいて前記フロントスライダがユーザの作用で前記フロントパネルに対してスライドしていると決定する時に生成された第２のトリガ信号を受信するステップと、
第１のアプリケーションを実行しているとともに、第２のアプリケーションの開始請求を受信した場合に、前記開始請求に基づいて前記第２のアプリケーションを開始し、前記第２のトリガ信号に基づいて、前記第２のアプリケーションが前記フロント素子を呼び出すことを許可し、前記スクリーンの画面を分割して取得された第１の領域内に前記第１のアプリケーションを表示し、画面を分割して取得された第２の領域内に前記第２のアプリケーションを表示するステップと、をさらに含む、
ことを特徴とする請求項１６に記載の方法。
【請求項２１】
請求項９〜１５のいずれかに記載の端末に応用されるフロントアセンブリスライド構造の制御装置であって、前記装置は、受信モジュールと制御モジュールとを含み、
前記受信モジュールは、制御命令を受信するように構成され、
前記制御モジュールは、前記フロントスライダが前記第１の位置から前記第２の位置までスライドするように、前記受信モジュールによって受信された前記制御命令に基づいて、前記第１の磁性体と前記第２の磁性体との間に前記第１の方向の作用力が存在するように制御するように構成され、
前記制御モジュールは、さらに、前記フロントスライダが前記第２の位置から前記第１の位置までスライドするように、前記受信モジュールによって受信された前記制御命令に基づいて、前記第１の磁性体と前記第２の磁性体との間に前記第１の方向と反対である前記第２の方向の作用力が存在するように制御するように構成され、
前記第１の位置は、前記フロントスライダにおけるフロント素子が前記フロントパネルによって遮蔽されている位置であり、前記第２の位置は、前記フロントスライダにおけるフロント素子が前記フロントパネルによって遮蔽されていない位置である、
ことを特徴とするフロントアセンブリスライド構造の制御装置。
【請求項２２】
前記第１の磁性体が電磁石であり、前記第２の磁性体が、第１の磁石及び第２の磁石を含み、又は、前記第１の磁性体が、第１の磁石及び第２の磁石を含み、前記第２の磁性体が電磁石である場合に、前記制御モジュールは、さらに、
前記制御命令に基づいて第３の方向の電流を生成し、前記第３の方向の電流は、前記電磁石を磁化し、磁化された前記電磁石は、前記第１の磁石との間には、前記第１の方向の吸引力が存在し、前記第２の磁性体との間には、前記第１の方向の反発力が存在するように構成される、
ことを特徴とする請求項２１に記載の装置。
【請求項２３】
前記制御モジュールは、さらに、
前記制御命令に基づいて前記第３の方向と反対である第４の方向の電流を生成し、前記第４の方向の電流は、前記電磁石を磁化し、磁化された前記電磁石と前記第１の磁石との間には、前記第２の方向の反発力が存在し、前記電磁石と前記第２の磁石との間には、前記第２の方向の吸引力が存在するように構成される、
ことを特徴とする請求項２２に記載の装置。
【請求項２４】
前記フロントアセンブリスライド構造がホール素子をさらに含み、前記ホール素子が、ホールセンサー及び第３の磁石を含み、前記ホールセンサーが、前記フロントスライダに設置され、前記第３の磁石が、前記フロントパネルに設置され、又は、前記ホールセンサーが、前記フロントパネルに設置され、前記第３の磁石が、前記フロントスライダに設置される場合に、
前記受信モジュールは、さらに、前記ホールセンサーによって報知された、前記ホールセンサーが前記第３の磁石に基づいて前記フロントスライダがユーザの作用で前記フロントパネルに対してスライドしていると決定した時に生成した第１のトリガ信号を受信するように構成され、
前記装置は、生成モジュールをさらに含み、
前記生成モジュールは、前記第１のトリガ信号に基づいて前記スライドのスライド方向が前記第１の方向であると決定した場合に、前記第３の方向の電流を生成し、前記電流を前記電磁石に出力し、前記第１のトリガ信号に基づいて前記スライドのスライド方向が前記第２の方向であると決定した場合に、前記第４の方向の電流を生成し、前記電流を前記電磁石に出力するように構成される、
ことを特徴とする請求項２３に記載の装置。
【請求項２５】
前記フロントアセンブリスライド構造がホール素子をさらに含み、前記ホール素子が、ホールセンサー及び第３の磁石を含み、前記ホールセンサーが、前記フロントスライダに設置され、前記第３の磁石が、前記フロントパネルに設置され、又は、前記ホールセンサーが、前記フロントパネルに設置され、前記第３の磁石が、前記フロントスライダに設置される場合に、
前記受信モジュールは、さらに、前記ホールセンサーによって報知された、前記ホールセンサーが前記第３の磁石に基づいて前記フロントスライダがユーザの作用で前記フロントパネルに対してスライドしていると決定した時に生成した第２のトリガ信号を受信するように構成され、
前記装置は、画面分割モジュールをさらに含み、
前記画面分割モジュールは、第１のアプリケーションを実行しているとともに、第２のアプリケーションの開始請求を受信した場合に、前記開始請求に基づいて前記第２のアプリケーションを開始し、前記第２のトリガ信号に基づいて前記第２のアプリケーションが前記フロント素子を呼び出すことを許可し、前記スクリーンの画面を分割して取得された第１の領域内に前記第１のアプリケーションを表示し、画面を分割して取得された第２の領域内に前記第２のアプリケーションを表示するように構成される、
ことを特徴とする請求項２１に記載の装置。
【請求項２６】
請求項９〜１５のいずれかに記載の端末に応用されるフロントアセンブリスライド構造の制御装置であって、前記装置は、
プロセッサと、
プロセッサによって実行可能な命令を記憶するためのメモリと、を含み、
前記プロセッサは、
制御命令を受信するステップと、
前記フロントスライダが前記第１の位置から前記第２の位置までスライドするように、前記制御命令に基づいて、前記第１の磁性体と前記第２の磁性体との間に前記第１の方向の作用力が存在するように制御するステップと、
前記フロントスライダが前記第２の位置から前記第１の位置までスライドするように、前記制御命令に基づいて、前記第１の磁性体と前記第２の磁性体との間に前記第１の方向と反対である前記第２の方向の作用力が存在するように制御するステップと、を実行するように構成され、
前記第１の位置は、前記フロントスライダにおけるフロント素子が前記フロントパネルによって遮蔽されている位置であり、前記第２の位置は、前記フロントスライダにおけるフロント素子が前記フロントパネルによって遮蔽されていない位置である、
ことを特徴とするフロントアセンブリスライド構造の制御装置。
【請求項２７】
少なくとも１つの命令、少なくとも１つのプログラム、コードセット又は命令セットが記憶されているコンピュータ読み取り可能な記憶媒体であって、前記少なくとも１つの命令、前記少なくとも１つのプログラム、前記コードセット又は命令セットがプロセッサによってダウンロードされて実行されて、請求項１６〜２０のいずれかに記載のフロントアセンブリスライド構造の制御方法を実現する、
ことを特徴とするコンピュータ読み取り可能な記憶媒体。
【発明の詳細な説明】
【技術分野】
【０００１】
本開示は、コンピュータ技術分野に関し、特に、フロントアセンブリスライド構造、制御方法、装置、端末及び記憶媒体を関する。
【背景技術】
【０００２】
端末がスクリーン及びフロント素子を含む場合に、通常、フロント素子及びスクリーンは、端末のフロントパネルに設置される。ここで、フロント素子は、フロントカメラ、スピーカ、近接光センサー、環境光センサー等を含む。
【０００３】
フロント素子及びスクリーンがいずれもフロントパネルに設置されるが、現在の加工プロセス及び技術によりフロント素子を非常に小さくすることができないため、フロント素子は、フルスクリーンの比率に影響を与える。ここで、スクリーン比率とは、スクリーンとフロントパネルとの面積比率であり、且つフルスクリーンは、スクリーン比率が１００％に近いスクリーンである。
【発明の概要】
【発明が解決しようとする課題】
【０００４】
関連技術における問題を解決するために、本開示は、フロントアセンブリスライド構造、制御方法、装置、端末及び記憶媒体を提供する。
【課題を解決するための手段】
【０００５】
本開示の実施例の第１の態様は、第１の磁性体が設置されたフロントスライダと、前記フロントスライダに対してスライドするパネルに設置された第２の磁性体と、を含むフロントアセンブリスライド構造であって、
前記フロントスライダが第１の位置に位置する場合に、前記第１の磁性体と前記第２の磁性体との位置が対向し、
前記第１の磁性体と前記第２の磁性体との間に第１の方向の作用力が存在する場合に、前記フロントスライダは、前記第１の位置から第２の位置までスライドし、
前記第１の磁性体と前記第２の磁性体との間に前記第１の方向と反対である第２の方向の作用力が存在する場合に、前記フロントスライダは、前記第２の位置から前記第１の位置までスライドし、
前記第１の方向及び前記第２の方向は、前記フロントスライダのスライド方向であり、
前記作用力は、前記第１の磁性体と前記第２の磁性体との間の吸引力及び反発力を含み、
前記第１の磁性体は、電磁石であり、前記第２の磁性体は、所定の方向に沿って並列する第１の磁石及び第２の磁石を含み、又は、前記第１の磁性体は、所定の方向に沿って並列する第１の磁石及び第２の磁石を含み、前記第２の磁性体は、電磁石であり、前記所定の方向は、前記第１の方向又は前記第２の方向であり、
前記第１の磁石と前記第２の磁石との前記電磁石に対向する磁極の磁性が反対であり、
前記電磁石が第３の方向の電流によって磁化された場合に、前記電磁石と前記第１の磁石との間には、前記第１の方向の吸引力が存在し、前記電磁石と前記第２の磁石との間には、前記第１の方向の反発力が存在し、
前記電磁石が前記第３の方向と反対である第４の方向の電流によって磁化された場合に、前記電磁石と前記第１の磁石との間には、前記第２の方向の反発力が存在し、前記電磁石と前記第２の磁石との間には、前記第２の方向の吸引力が存在する、
フロントアセンブリスライド構造を提供する。
【０００６】
本開示の実施例に係る第２の態様は、スクリーンが設置されたフロントパネルと、メインボードが設置されたリアパネルと、第１の態様のいずれかに記載のフロントアセンブリスライド構造と、を含み、
前記フロントアセンブリスライド構造は、前記フロントパネル及び前記リアパネルにそれぞれ接続されており、
前記第１の位置は、前記フロントスライダにおけるフロント素子が前記フロントパネルによって遮蔽されている位置であり、前記第２の位置は、前記フロントスライダにおけるフロント素子が前記フロントパネルによって遮蔽されていない位置である端末を提供する。
【０００７】
本開示の実施例に係る第３の態様は、第２の態様に記載の端末に応用されるフロントアセンブリスライド構造の制御方法であって、前記方法は、
制御命令を受信するステップと、
前記フロントスライダが前記第１の位置から前記第２の位置までスライドするように、前記制御命令に基づいて、前記第１の磁性体と前記第２の磁性体との間には前記第１の方向の作用力が存在するように制御するステップと、
前記フロントスライダが前記第２の位置から前記第１の位置までスライドするように、前記制御命令に基づいて、前記第１の磁性体と前記第２の磁性体との間には前記第１の方向と反対である前記第２の方向の作用力が存在するように制御するステップと、を含み、
前記第１の位置は、前記フロントスライダにおけるフロント素子が前記フロントパネルによって遮蔽されている位置であり、前記第２の位置は、前記フロントスライダにおけるフロント素子が前記フロントパネルによって遮蔽されていない位置であるフロントアセンブリスライド構造の制御方法を提供する。
【０００８】
本開示の実施例に係る第４の態様は、第２の態様に記載の端末に応用されるフロントアセンブリスライド構造の制御装置であって、前記装置は、受信モジュールと制御モジュールとを含み、
前記受信モジュールは、制御命令を受信するように構成され、
前記制御モジュールは、前記フロントスライダが前記第１の位置から前記第２の位置までスライドするように、前記受信モジュールによって受信された前記制御命令に基づいて、前記第１の磁性体と前記第２の磁性体との間に前記第１の方向の作用力が存在するように制御するように構成され、
前記制御モジュールは、さらに、前記フロントスライダが前記第２の位置から前記第１の位置までスライドするように、前記受信モジュールによって受信された前記制御命令に基づいて、前記第１の磁性体と前記第２の磁性体との間に前記第１の方向と反対である前記第２の方向の作用力が存在するように制御するように構成され、
前記第１の位置は、前記フロントスライダにおけるフロント素子が前記フロントパネルによって遮蔽されている位置であり、前記第２の位置は、前記フロントスライダにおけるフロント素子が前記フロントパネルによって遮蔽されていない位置であるフロントアセンブリスライド構造の制御装置を提供する。
【０００９】
本開示の実施例に係る第５の態様では、第２の態様に記載の端末に応用されるフロントアセンブリスライド構造の制御装置であって、前記装置は、
プロセッサと、
プロセッサによって実行可能な命令を記憶するためのメモリと、を含み、
前記プロセッサは、
制御命令を受信するステップと、
前記フロントスライダが前記第１の位置から前記第２の位置までスライドするように、前記制御命令に基づいて、前記第１の磁性体と前記第２の磁性体との間に前記第１の方向の作用力が存在するように制御するステップと、
前記フロントスライダが前記第２の位置から前記第１の位置までスライドするように、前記制御命令に基づいて、前記第１の磁性体と前記第２の磁性体との間に前記第１の方向と反対である前記第２の方向の作用力が存在するように制御するステップと、を実行するように構成され、
前記第１の位置は、前記フロントスライダにおけるフロント素子が前記フロントパネルによって遮蔽されている位置であり、前記第２の位置は、前記フロントスライダにおけるフロント素子が前記フロントパネルによって遮蔽されていない位置であるフロントアセンブリスライド構造の制御装置を提供する。
【００１０】
本開示の実施例に係る第６の態様は、少なくとも１つの命令、少なくとも１つのプログラム、コードセット又は命令セットが記憶されているコンピュータ読み取り可能な記憶媒体であって、前記少なくとも１つの命令、前記少なくとも１つのプログラム、前記コードセット又は命令セットがプロセッサによってダウンロードされて実行されて、第３の態様に記載のフロントアセンブリスライド構造の制御方法を実現するコンピュータ読み取り可能な記憶媒体を提供する。
【発明の効果】
【００１１】
本開示の実施例によって提供された技術案は、以下の有益な効果を含むことができる。
【００１２】
フロント素子がフロントスライダに設置されており、このように、フロントスライダがスライドするに制御することにより、フロント素子の位置を制御することができる。例えば、フロント素子を使用する必要がある場合に、フロント素子がフロントパネルによって遮蔽されていない第２の位置に位置するように制御することにより、フロント素子が正常に使用できることが確保され、フロント素子を使用する必要がない場合に、フロント素子を端末のフロントパネルに固定する必要がなく、フロント素子がフロントパネルによって遮蔽されている第１の位置に位置するように制御することにより、フロントパネルにおけるスクリーンの比率が向上する。
【００１３】
なお、上記の一般的な記載及び以下の詳細な記載は、単なる例示するものであり、本発明を限定しないものではない。
【図面の簡単な説明】
【００１４】
以下の図面は、明細書に組み入れて本明細書の一部を構成し、本発明に適する実施例を示しており、明細書とともに本発明の原理を解釈する。
【図１】例示的な一実施例に示されるフロントアセンブリスライド構造の構造模式図である。
【図２】例示的な一実施例に示されるフロントアセンブリスライド構造の構造模式図である。
【図３】例示的な一実施例に示される端末の側面図である。
【図４】例示的な一実施例に示される端末の側面図である。
【図５】例示的な一実施例に示される端末の側面図である。
【図６】例示的な一実施例に示されるスライドレールアセンブリの上面図である。
【図７】例示的な一実施例に示される端末の構造模式図である。
【図８】例示的な一実施例に示される端末の構造模式図である。
【図９】例示的な一実施例に示されるフロントアセンブリスライド構造の制御方法のフローチャートである。
【図１０】例示的な他の実施例に示されるフロントアセンブリスライド構造の制御方法のフローチャートである。
【図１１】例示的な一実施例に示されるフロントアセンブリスライド構造の制御装置のブロック図である。
【図１２】例示的な一実施例に示されるフロントアセンブリスライド構造の制御装置のブロック図である。
【図１３】例示的な一実施例に示されるフロントアセンブリスライド構造の制御に使用される装置のブロック図である。
【発明を実施するための形態】
【００１５】
以下に、例示的な実施例を詳細に説明する。その例が図面に示されるが、以下の説明が図面に係る場合に、特に言及しない限り、異なる図面における同一の数字は、同一又は類似する要素を表す。以下の例示的な実施例に説明される実施形態は、本開示と一致するすべての実施形態を表すものではない。逆に、それらは、添付の特許請求の範囲に詳述される本開示のいくつかの態様と一致する装置および方法の例に過ぎない。
【００１６】
図１は、例示的な一実施例に示されるフロントアセンブリスライド構造の構造模式図であり、図１に示すように、当該フロントアセンブリスライド構造は、第１の磁性体１２１が設置されたフロントスライダ１２０と、フロントスライダ１２０に対してスライドするパネル１１０に設置された第２の磁性体１３０と、を含み、フロントスライダ１２０が第１の位置に位置する場合に、第１の磁性体１２１と第２の磁性体１３０との位置が対向し、
第１の磁性体１２１と第２の磁性体１３０との間に第１の方向の作用力が存在する場合に、フロントスライダ１２０が第１の位置から第２の位置までスライドし、
第１の磁性体１２１と第２の磁性体１３０との間に第１の方向と反対である第２の方向の作用力が存在する場合に、フロントスライダ１２０が第２の位置から第１の位置までスライドする。
【００１７】
ここで、フロントスライダ１２０は、フロント素子１２２をさらに含んでもよい。また、フロント素子１２２は、フロントカメラ、スピーカ、近接光センサー、環境光センサー等の少なくとも１つを含んでもよい、他の素子をさらに含んもでよい。本実施例は、これについて限定しない。図１では、フロントスライダ１２０が３つのフロント素子１２２を含む場合を例として説明する。
【００１８】
第１の位置は、フロント素子１２２が端末の外部に位置する時のフロントスライダ１２０の位置であってもよく、この場合に、第２の位置は、フロント素子１２２が端末の内部に位置する時のフロントスライダ１２０の位置である。又は、第１の位置は、フロント素子１２２が端末の内部に位置する時のフロントスライダ１２０の位置であってもよく、この場合に、第２の位置は、フロント素子１２２が端末の外部に位置する時のフロントスライダ１２０の位置である。本実施例は、第１の位置及び第２の位置について限定しない。
【００１９】
第１の位置が上述した２つの位置のどちらであるかにも関わらず、フロントスライダ１２０が第１の位置にある時に、第２の磁性体１３０と対向することになる。図１では、仮に実線で描かれたフロントスライダ１２０の位置を第１の位置とし、破線で描かれたフロントスライダ１２０の位置を第２の位置とする場合を例として説明すると、この場合に、第２の磁性体１３０が図示する位置にある。図１では、仮に破線で描かれたフロントスライダ１２０の位置を第１の位置とし、実線で描かれたフロントスライダ１２０の位置を第２の位置とする場合を例として説明すると、この場合に、第２の磁性体１３０は図示する位置の上方（図１中に図示せず）にある。
【００２０】
以上により、本開示によって提供されたフロントアセンブリスライド構造は、フロント素子がフロントスライダに設置されており、このように、フロントスライダがスライドするに制御することにより、フロント素子の位置を制御することができる。例えば、フロント素子を使用する必要がある場合に、フロント素子がフロントパネルによって遮蔽されていない第２の位置に位置するように制御して、フロント素子が正常に使用できることを確保し、フロント素子を使用する必要がない場合に、フロント素子を端末のフロントパネルに固定する必要がなく、フロント素子がフロントパネルによって遮蔽されている第１の位置に位置するように制御することにより、フロントパネルにおけるスクリーンの比率が向上する。
【００２１】
図２は、例示的な一実施例に示されるフロントアセンブリスライド構造の構造模式図である。図２に示すように、当該フロントアセンブリスライド構造は、第１の磁性体２２１が設置されたフロントスライダ２２０と、フロントスライダ２２０に対してスライドするパネル２１０に設置された第２の磁性体２３０と、を含み、フロントスライダ２２０が第１の位置に位置する場合に、第１の磁性体２２１と第２の磁性体２３０との位置が対向する。
【００２２】
本実施例において、第１の磁性体２２１は、電磁石であり、第２の磁性体２３０は、所定の方向に沿って並列する第１の磁石及び第２の磁石を含み、又は、第１の磁性体２２１は、所定の方向に沿って並列する第１の磁石及び第２の磁石を含み、第２の磁性体２３０は、電磁石であり、所定の方向は、第１の方向又は第２の方向であり、第１の磁石と第２の磁石との電磁石に対向する磁極の磁性が反対である。
【００２３】
図３を参照し、電磁石は、通電により電磁を生成する装置であり、一般的に、軟磁性体２２１１及び当該軟磁性体の外部に巻き付けられるコイル２２１２からなる。コイル２２１２に電流が流れる場合に、軟磁性体２２１１が磁化され、磁化された軟磁性体２２１１は、磁性を有するようになる。ここで、電磁石の磁極は、コイル２２１２における電流の方向に関係する。仮にコイル２２１２に順方向電流が流れると、電磁石の一端の磁極が北極（Ｎ極）であり、コイル２２１２に逆方向電流が流れると、電磁石の当該一端の磁極が南極（Ｓ極）である。
【００２４】
本実施例において、電磁石は、端末におけるメインボードに接続されており、メインボードによって電磁石のコイル２２１２に給電することができる。
【００２５】
所定の方向は、第１の方向又は第２の方向である。ここで、第１の方向は、フロントスライダ２２０が端末内部から端末外部にスライドするスライド方向であり、第２の方向は、フロントスライダ２２０が端末外部から端末内部にスライドするスライド方向であり、第１の方向は第２の方向と反対である。
【００２６】
端末の中心を原点として３次元座標軸を構築し、且つｘ軸を端末の底辺に平行させ、ｙ軸を端末の側辺に平行させ、ｚ軸を端末が位置する平面に垂直させる場合、フロントスライダ２２０が端末の頂部から引き出され、又は端末の頂部に引き込まれると仮定すると、第１の方向及び第２の方向は、ｙ軸が位置する方向であり、フロントスライダ２２０が端末の側辺から引き出され、又は端末の側辺に引き込まれると仮定すると、第１の方向及び第２の方向は、ｘ軸が位置する方向である。
【００２７】
第１の磁石及び第２の磁石が永久磁石であり、且つ第１の磁石と第２の磁石との電磁石に対向する磁極の磁性が反対である。例えば、第１の磁石の電磁石に対向する磁極が北極である場合に、第２の磁石の電磁石に対向する磁極が南極であり、又は、第１の磁石の電磁石に対向する磁極が南極である場合に、第２の磁石の電磁石に対向する磁極が北極である。図３に示す端末の側面図を参照し、図３では、右側に位置する第１の磁石の電磁石に対向する磁極を北極とし、左側に位置する第２の磁石の電磁石に対向する磁極を南極とする場合を例として説明する。
【００２８】
本実施例において、第１の磁性体２２１と第２の磁性体２３０との間に第１の方向の作用力が存在する場合に、フロントスライダ２２０が第１の位置から第２の位置までスライドし、第１の磁性体２２１と第２の磁性体２３０との間に第２の方向の作用力が存在する場合に、フロントスライダ２２０が第２の位置から第１の位置までスライドする。ここで、第１の位置と第２の位置の説明は、図１に示す実施例における説明の詳細を参照し、ここで説明を省略する。
【００２９】
可能な一実現形態では、第１の位置は、フロントスライダ２２０におけるフロント素子２２２がパネル２１０によって遮蔽されている位置であり、第２の位置は、フロントスライダ２２０におけるフロント素子２２２がパネル２１０によって遮蔽されていない位置であり、且つフロント素子２２２は、端末のユーザに正対する。即ち、第１の磁性体２２１と第２の磁性体２３０との間に第１の方向の作用力が存在する場合に、フロントスライダ２２０は、端末内部から端末外部にスライドし、第１の磁性体２２１と第２の磁性体２３０との間に第２の方向の作用力が存在する場合に、フロントスライダ２２０は、端末外部から端末内部にスライドする。
【００３０】
なお、図２では、実線で描かれたフロントスライダ２２０の位置を第１の位置とし、破線で描かれたフロントスライダ２２０の位置を第２の位置とする場合を例として説明する。
【００３１】
以下、第１の磁性体２２１と第２の磁性体２３０との間の作用力の生成過程について説明する。
【００３２】
本実施例において、電磁石が第３の方向の電流によって磁化された場合に、電磁石と第１の磁石との間に第１の方向の吸引力が存在し、電磁石と第２の磁石との間に第１の方向の反発力が存在し、この場合に、当該吸引力及び反発力は、第１の方向の作用力である。電磁石が第３の方向と反対である第４の方向の電流によって磁化された場合に、電磁石と第１の磁石との間には、第２の方向の反発力が存在し、電磁石と第２の磁石との間には、第２の方向の吸引力が存在し、この場合に、当該吸引力及び反発力は、第２の方向の作用力である。
【００３３】
ここで、電流は、端末がシーンの需要に応じて生成されるものであってもい。例えば、ユーザが着信をオンにした場合に、端末は、ユーザがフロントスライダ２２０におけるスピーカを使用する必要があると決定し、第３の方向の電流を生成して、フロントスライダ２２０がスライドするように制御して、スピーカを露出させてユーザに使用させる。また、例えば、ユーザがセルフ撮影したい場合に、端末は、ユーザがフロントスライダ２２０におけるフロントカメラを使用する必要があると決定し、第３の方向の電流を生成してフロントスライダ２２０がスライドするように制御して、フロントカメラを露出させてユーザに使用させる。又は、電流は、端末が命令を受信した後に生成されるものであってもよい。例えば、端末は、音声、又はジェスチャ又は文字等の命令を受信し、命令に従って、フロントスライダ２２０がスライドするように制御する。本実施例は、端末によって生成された電流のトリガ方式を限定しない。
【００３４】
フロントスライダ２２０が第２の位置にスライドした場合に、電磁石と第１の磁石とは密着され、この場合に、第３の方向の電流がオフされる。フロントスライダ２２０が第１の位置にスライドした場合に、電磁石と第２の磁石とは密着され、この場合に、第４の方向の電流がオフされる。図４及び５に示す端末の側面図を参照し、図４では、フロントスライダ２２０が第２の位置にあり、図５では、フロントスライダ２２０が第１の位置にある。
【００３５】
電磁石と第１の磁石とが密着された場合に、電磁石の中心位置２２１３が第１の磁石の中心位置２３１に対向すれば、第１の磁石が電磁石に対して生成した反発力が、ｚ軸が位置する方向に沿うので、電磁石が第２の位置から第１の位置までスライドする過程で、電磁石が第２の方向に沿ってスライドするようにプッシュすることができなく、つまり、フロントスライダ２２０が第２の方向に沿ってスライドするようにプッシュすることができない。従って、選択可能に、電磁石の中心位置２２１３と第１の磁石の中心位置２３１とを第２の所定の距離ｄ１だけずらす必要があり、これにより第１の磁石と電磁石との間には、第１の方向に沿う吸引力及び第２の方向に沿う反発力を生成することができる。ここの第２の所定の距離ｄ１は、所定の式によって算出されてもよいし、経験値から取得されてもよく、本実施例は、これについて限定しない。可能な一実現形態では、第２の所定の距離ｄ１は、０．３ｍｍ〜０．５ｍｍの範囲にある。
【００３６】
同様に、電磁石の中心位置２２１３と第２の磁石の中心位置２３２とを第１の所定の距離ｄ２だけずらす必要があり、これにより第２の磁石と電磁石との間には、第１の方向に沿う反発力及び第２の方向に沿う吸引力を生成することができる。ここの第１の所定の距離ｄ２は、所定の式によって算出されてもよいし、経験値から取得されてもよく、本実施例は、これについて限定しない。可能な一実現形態では、第１の所定の距離ｄ２は、０．３ｍｍ〜０．５ｍｍの範囲にある。第１の所定の距離ｄ２は、第２の所定の距離ｄ１と同じであってもよいし、異なってもよく、本実施例は、これについて限定しない。
【００３７】
つまり、フロントスライダ２２０が第１の位置に位置した場合に、電磁石と第２の磁石とは密着され、且つ電磁石の中心位置と第２の磁石の中心位置とは、第１の所定の距離だけずれている。フロントスライダ２２０が第２の位置に位置した場合に、電磁石と第１の磁石とは密着され、電磁石の中心位置と第１の磁石の中心位置とは、第２の所定の距離だけずれている。
【００３８】
本実施例において、第１の磁石の中心位置２３１と第２の磁石の中心位置２３２との間の距離は、所定の閾値より小さい。ここの第１の閾値は、所定の式によって算出されてもよいし、経験値から取得されてもよく、本実施例は、これについて限定しない。可能な一実現形態では、所定の閾値は、０．８ｍｍである。
【００３９】
本実施例において、フロントアセンブリスライド構造は、少なくとも１つの第１の磁性体２２１を含み、また、フロントアセンブリスライド構造は、少なくとも１つの第２の磁性体２３０を含む。
【００４０】
ここで、第１の磁性体２２１は、第２の磁性体２３０の個数と同じであってもよいし、異なってもよい。第１の磁性体２２１は、第２の磁性体２３０の個数と同じでる場合に、第１の磁性体２２１のそれぞれは、１つの第２の磁性体２３０に対応し、この場合に、１つの第１の磁性体２２１と１つの第２の磁性体２３０とは、１組の磁性体と呼ばれてもよい。第１の磁性体２２１は、第２の磁性体２３０の個数と異なる場合に、１つの第１の磁性体２２１は、少なくとも２つの第２の磁性体２３０に対応し、又は、１つの第２の磁性体２３０は、少なくとも２つの第１の磁性体２２１に対応し、この場合に、１つの第１の磁性体２２１と少なくとも２つの第２の磁性体２３０とは、１組の磁性体と呼ばれてもよく、又は、１つの第２の磁性体２３０と少なくとも２つの第１の磁性体２２１とは、１組の磁性体と呼ばれてもよい。
【００４１】
フロントアセンブリスライド構造は、少なくとも１組の磁性体を含んでもよい。フロントアセンブリスライド構造が１組の磁性体を含む場合に、当該１組の磁性体は、フロントアセンブリスライド構造の中心位置に位置してもよいし、フロントアセンブリスライド構造の底部に位置してもよく、本実施例は、これについて限定しない。フロントアセンブリスライド構造が少なくとも２組の磁性体を含む場合に、当該少なくとも２組の磁性体は、フロントアセンブリスライド構造に均一に配置することができ、フロントスライダ２２０のスライドの安定性を向上させることができる。
【００４２】
選択可能に、フロントアセンブリスライド構造は、第１の磁性体２２１と第２の磁性体２３０との間に位置するとともに磁力線を集めるための磁気遮蔽片２４０をさらに含む。磁気遮蔽片２４０の作用が分散している磁力線を集めることであり、磁力線が集まるほど、生成された作用力が大きいため、磁気遮蔽片２４０を設置することにより、第１の方向又は第２の方向に沿う作用力を大きくし、フロントスライダ２２０のスライド速度を向上させることができる。
【００４３】
選択可能に、図６に示すスライドレールアセンブリ２５０の上面図を参照し、フロントアセンブリスライド構造は、スライドレールアセンブリ２５０をさらに含み、スライドレールアセンブリ２５０は、接続されているスライドプレート２５１及びスライドレール２５２を含み、スライドプレート２５１とスライドレール２５２とは、相対スライド可能である。
【００４４】
なお、フロントスライダ２２０は、スライドプレート２５１中に位置し、スライドレール２５２は、パネル２１０に設置することができる。この場合に、フロントスライダ２２０は、スライドレール２５２に対してスライドするスライドプレート２５１により、第１の位置から第２の位置までスライドすることができ、また、フロントスライダ２２０は、スライドレール２５２に対してスライドするスライドプレート２５１により、第２の位置から第１の位置までスライドすることもできる。
【００４５】
フロントスライダ２２０がスライドプレート２５１中に位置する場合に、図４及び５を参照し、スライドユニット２５０がスライドする時、電磁石と、第１の磁石及び第２の磁石との位置関係を示す。
【００４６】
本実施例において、上述した端末が電流を自動的に生成することでフロントスライダ２２０がスライドするように駆動する場合のほか、フロントスライダ２２０がスライドするようにユーザによって手動で制御することもできる。以下、この２つの制御方式を説明する。
【００４７】
１つ目の制御方式では、フロントスライダ２２０が第１の位置又は第２の位置までスライドするように完全にユーザによって手動で制御する。即ち、フロントスライダ２２０のスライド過程にわたる作用力は、ユーザによって提供され、端末は、電流を生成しない。この場合に、端末が電流を生成しないため、電磁石が磁化されておらず、第１の磁性体２２１と第２の磁性体２３０との間の作用力は消える。第１の方向に、ユーザがフロントスライダ２２０に作用した作用力が存在する場合に、フロントスライダ２２０は、第１の位置から第２の位置までスライドする。第２の方向に、ユーザがフロントスライダ２２０に作用した作用力が存在する場合に、フロントスライダ２２０は、第２の位置から第１の位置までスライドする。
【００４８】
２つ目の制御方式では、まず、フロントスライダ２２０が一定の距離スライドするようにユーザによって手動で制御し、端末は、フロントスライダ２２０がスライドすることを検知した場合に、電流を生成し、電流により電磁石を磁化し、電磁石と、第１の磁石及び第２の磁石との間の作用力により、フロントスライダ２２０が第１の位置又は第２の位置に到達するまでスライドし続ける。即ち、フロントスライダ２２０は、最初の作用力がユーザによって提供され、後の作用力が端末によって提供される。つまり、ユーザが、まずフロントスライダ２２０に非常に小さい作用力を加えることにより、フロントスライダ２２０がスライド傾向にある場合に、フロントスライダ２２０は、端末によって自動的に生成された作用力の作用でスライドし続けることができる。
【００４９】
この場合に、フロントアセンブリスライド構造は、ホール素子２６０をさらに含む。ここで、ホール素子２６０は、ホールセンサー２６１及び第３の磁石２６２を含み、ホールセンサー２６１は、フロントスライダ２２０に設置され、第３の磁石２６２は、パネル２１０に設置され、又は、ホールセンサー２６１は、パネル２１０に設置され、第３の磁石２６２は、フロントスライダ２２０に設置され、本実施例は、これについて限定しない。図２を参照し、図２では、ホールセンサー２６１がフロントスライダ２２０に設置され、第３の磁石２６２がパネル２１０に設置される場合を例として説明する。ホールセンサー２６１は、第３の磁石２６２に基づいて、フロントスライダ２２０がパネル２１０に対してスライドしているスライド方向を決定し、スライド方向が第１の方向である場合に、第３の方向の電流を生成するようにトリガし、スライド方向が第２の方向である場合に、第４の方向の電流を生成するようにトリガする。
【００５０】
ユーザが、フロントスライダ２２０がスライドするように制御する場合に、第３の磁石２６２の磁力線が横切れるため、ホールセンサー２６１は、フロントスライド２２０がスライドしたことを検知することができ、この場合に、ホールセンサー２６１は、端末に第１のトリガ信号を報知する。端末は、第１のトリガ信号に基づいて、フロントスライダ２２０のスライド方向が第１の方向であると決定した場合に、第３の方向の電流を生成し、第３の方向の電流を電磁石に出力することにより、第１の磁性体２２１と第２の磁性体２３０との間には、第１の方向の作用力が生成されて、フロントスライダ２２０が第２の位置に到達して停止するまで第１の方向にスライドし続けることに寄与する。端末は、第１のトリガ信号に基づいて、フロントスライダ２２０のスライド方向が第２の方向であると決定した場合に、第４の方向の電流を生成し、第４の方向の電流を電磁石に出力することにより、第１の磁性体２２１と第２の磁性体２３０との間には、第２の方向の作用力が生成されて、フロントスライダ２２０が第１の位置に到達して停止するまで第２の方向にスライドし続けることに寄与する。
【００５１】
なお、本実施例において、ばねのような機械構造でフロントスライダ２２０がスライドするように駆動するのではなく、電磁石及び永久磁石でフロントスライダ２２０がスライドするように駆動することは、実現の面で、以下のいくつかの長所を有する。１、ばねの体積が大きく、ばね本体の厚さが、少なくとも０．６ｍｍであるため、スライドレールアセンブリ２５０の厚さは、少なくとも１．８ｍｍであり、これにより、スライドレールアセンブリ２５０が厚いが、本実施例において、電磁石及び永久磁石が薄く、スライドレールアセンブリ２５０の厚さが、約１．２ｍｍであり、より薄いスライドレールアセンブリ２５０を実現することができる。２、ばねの機械構造を実現するために、通常、リアパネルをくりぬいてばねを配置するため、リアパネルの強度が弱くなり、リアパネルの耐衝撃力が悪くなり、超薄い本体の場合には、端末の信頼性が低減される。本実施例において、リアパネルをくりぬく必要がないため、端末の信頼性が向上する。３、ばねの耐疲労性が悪く、ライフサイクルにおいて、使用時間の延長に伴い、ばねの弾力特性は変化し、ユーザの使用手触りに影響を与えるが、本実施例において、磁性が使用時間の延長に伴って変化しないため、ユーザの使用手触りを確保することができる。４、ばねの弾力が不均一である場合に、端末の外観に隙間が発生することがあるが、本実施例において、磁性による吸引力と反発力とがいずれも均一であるため、端末の外観に隙間が発生することがない。５、ばねによってフロントスライダ２５０がスライドするように制御する場合に、トリガする必要があり、自動的なスライドを実現することができないが、本実施例において、電流のオン・オフを制御することで自動的なスライドを実現することができる。
【００５２】
以上により、本開示によって提供されたフロントアセンブリスライド構造は、フロント素子をフロントスライダに設置することにより、フロント素子を使用する必要がある場合に、フロント素子がフロントパネルによって遮蔽されていない第２の位置に位置するように制御することができ、フロント素子が正常に使用できることが確保され、フロント素子を使用する必要がない場合に、フロント素子を端末のフロントパネルに固定する必要がなく、フロント素子がフロントパネルによって遮蔽されている第１の位置に位置するように制御することにより、フロントパネルにおけるスクリーンの比率が向上する。
【００５３】
第１の磁性体と第２の磁性体との間に磁気遮蔽片を設置することにより、分散している磁力線を集めることができ、磁力線が集まるほど、生成された作用力が大きいため、磁気遮蔽片を設置することにより、第１の方向又は第２の方向に沿う作用力を大きくし、フロントスライダのスライド速度を向上させることができる。
【００５４】
フロントアセンブリスライド構造に少なくとも２組の磁性体が設置され、当該少なくとも２組の磁性体がフロントアセンブリスライド構造に均一に配置することができるため、フロントスライダのスライドの安定性を向上させることができる。
【００５５】
ホールセンサーにより、第３の磁石に基づいてフロントスライダがパネルスライドに対してスライドしている方向を決定し、スライド方向が第１の方向である場合に、第３の方向の電流を生成するようにトリガし、スライド方向が第２の方向である場合に、第４の方向の電流を生成するようにトリガし、その後、電流により電磁石を磁化ことにより、第１の磁性体と第２の磁性体との間には、作用力が生成されて、フロントスライダが第１の位置又は第２の位置に到達して停止するまでスライドし続けることに寄与する。このように、ユーザがまずフロントスライダに非常に小さい作用力を加えることにより、フロントスライダがスライド傾向にある場合に、フロントスライダは、端末によって自動的に生成された作用力の作用でスライドし続けることができ、ユーザの労力を節約することができる。
【００５６】
図７及び図８を参照し、本開示の例示的な他の実施例は、端末を提供し、当該端末は、スクリーン７１１が設置されたフロントパネル７１０と、メインボード７２１が設置されたリアパネル７２０と、上記のフロントアセンブリスライド構造７３０とを含み、フロントアセンブリスライド構造７３０は、フロントパネル７１０及びリアパネル７２０にそれぞれ接続されており、第１の位置は、フロントスライダ２２０におけるフロント素子がフロントパネル７１０によって遮蔽されている位置であり、第２の位置は、フロントスライダ２２０におけるフロント素子がフロントパネル７１０によって遮蔽されていない位置である。
【００５７】
第１の実現方式では、図７に示すように、フロントパネル７１０とリアパネル７２０とによってＵ形溝が形成され、フロントスライダ２２０は、Ｕ形溝内に設置され、フロントスライダ２２０は、メインボード７２１に接続され、第２の磁性体２３０（図７に図示せず）は、フロントスライダ２２０に対してスライドするフロントパネル７１０に設置される。なお、図７では、実線で描かれたフロントスライダ２２０の位置を第１の位置とし、破線で描かれたフロントスライダ２２０の位置を第２の位置とし、フロントスライダ２２０が上下スライドすることを例として説明する。
【００５８】
第２の実現方式では、図８に示すように、フロントパネル７１０とリアパネル７２０とによって収容チャンバが形成され、フロントスライダ２２０は、メインボード７２１に設置され、第２の磁性体２３０（図８に図示せず）は、フロントスライダ２２０に対してスライドするフロントパネル８１０に設置される。なお、図８では、実線で描かれたフロントスライダ２２０の位置を第１の位置とし、破線で描かれたフロントスライダ２２０の位置を第２の位置とし、フロントスライダ２２０が上下スライドすることを例として説明する。
【００５９】
以下、上記の２種類の端末の構造を説明する。
【００６０】
１、第１の磁性体２２１は、電磁石であり、第２の磁性体２３０は、所定の方向に沿って並列する第１の磁石及び第２の磁石を含み、又は、第１の磁性体２２１は、所定の方向に沿って並列する第１の磁石及び第２の磁石を含み、第２の磁性体２３０は、電磁石であり、電磁石は、メインボード７２１に接続されており、所定の方向は、第１の方向又は第２の方向であり、第１の磁石と第２の磁石との電磁石に対向する磁極の磁性が反対であり、電磁石が、メインボード７２１によって生成された第３の方向の電流によって磁化された場合に、電磁石と第１の磁石との間には、第１の方向の吸引力が存在し、電磁石と第２の磁石との間には、第１の方向の反発力が存在する。電磁石が、メインボード７２１によって生成された第４の方向の電流によって磁化された場合に、電磁石と第１の磁石との間には、第２の方向の反発力が存在し、電磁石と第２の磁石との間には、第２の方向の吸引力が存在し、第４の方向は第３の方向と反対である。
【００６１】
ここで、電磁石、第１の磁石、第２の磁石、及びその三者間の相互作用は、図２に示す実施例における説明の詳細を参照し、ここで説明を省略する。
【００６２】
なお、本実施例における電磁石は、メインボード７２１に接続されており、メインボード７２１によって第３の方向の電流を生成し、電流を電磁石に出力する。又は、メインボード７２１によって第４の方向の電流を生成し、電流を電磁石に出力する。
【００６３】
２、スライドレールアセンブリ２５０は、接続されているスライドプレート２５１及びスライドレール２５２を含み、スライドレール２５２は、フロントパネル７１０に設置され、フロントスライダ２２０は、スライドプレート２５１に設置され、スライドプレート２５１は、メインボード７２１に設置され、又は、スライドプレート２５１は、メインボード７２１に接続され、フロントスライダ２２０は、スライドレール２５２に対してスライドするスライドプレート２５１により、第１の位置から第２の位置までスライドし、フロントスライダ２２０は、スライドレール２５２に対してスライドするスライドプレート２５１により、第２の位置から第１の位置までスライドする。
【００６４】
ここで、スライドプレート２５１、スライドレール２５２、及びその両者間の相互作用は、図２に示す実施例における説明の詳細を参照し、ここで説明を省略する。
【００６５】
なお、フロントスライダ２２０がスライドプレート２５１に設置された場合に、スライドプレート２５１は、メインボード７２１に設置することができ、又は、スライドプレート２５１がメインボード７２１に接続されるように設置することにより、フロントスライダ２２０がメインボード７２１に設置されることが実現される。
【００６６】
３、端末は、ホール素子２６０をさらに含み、ホール素子２６０は、ホールセンサー２６１及び第３の磁石２６２を含み、ホールセンサー２６１は、フロントスライダ２２０に設置され、第３の磁石２６２は、フロントパネル７１０に設置され、又は、ホールセンサー２６１は、フロントパネル７１０に設置され、第３の磁石２６２は、フロントスライダ２２０に設置される。ホールセンサー２６１は、第３の磁石２６２に基づいて、フロントスライダ２２０がユーザの作用でフロントパネル７１０に対してスライドしていると決定した場合に、第１のトリガ信号を生成してメインボード７２１に報知する。スライドのスライド方向が第１の方向である場合に、メインボード７２１は、第１のトリガ信号に基づいて第３の方向の電流を生成し、電流を電磁石に出力し、スライドのスライド方向が第２の方向である場合に、メインボードは、第１のトリガ信号に基づいて第４の方向の電流を生成し、電流を電磁石に出力する。
【００６７】
ここで、ホールセンサー２６１、第３の磁石２６２、及びその両者間の相互作用は、図２に示す実施例における説明の詳細を参照し、ここで説明を省略する。
【００６８】
なお、ホールセンサー２６１がフロントスライダ２２０に設置された場合に、フロントスライダ２２０がメインボード７２１に設置され、または、フロントスライダ２２０がメインボード７２１に接続されているため、ホールセンサー２６１は、メインボード７２１に接続されている。ホールセンサー２６１がフロントパネル７１０に設置された場合に、ホールセンサー２６１は、メインボード７２１に接続される必要がある。
【００６９】
ホールセンサー２６１がメインボード７２１に接続された後、ホールセンサー２６１は、メインボード７２１に第１のトリガ信号を報知し、メインボード７２１は、第１のトリガ信号に基づいて第３の方向又は第４の方向の電流を生成することができる。
【００７０】
４、端末は、ホール素子２６０をさらに含み、ホール素子２６０は、ホールセンサー２６１及び第３の磁石２６２を含み、ホールセンサー２６１は、フロントスライダ２２０に設置され、第３の磁石２６２は、フロントパネル７１０に設置され、又は、ホールセンサー２６１は、フロントパネル７１０に設置され、第３の磁石２６２は、フロントスライダ２２０に設置される。ホールセンサー２６１は、第３の磁石２６２に基づいて、フロントスライダ２２０がユーザの作用でフロントパネル７１０に対してスライドしていると決定した場合に、第２のトリガ信号を生成してメインボード７２１に報知する。メインボード７２１が第１のアプリケーションを実行している場合に、メインボード７２１は、第１のアプリケーション及び第２のトリガ信号に基づいて、フロント素子を呼び出す第２のアプリケーションを決定し、スクリーン７１１の画面を分割して取得された第１の領域で第１のアプリケーションを表示し、画面を分割して取得された第２の領域で第２のアプリケーションを表示する。
【００７１】
本実施例において、ホール素子２６０に対して、その他の制御機能をさらに開発することができ、２画面制御を例とし、ホールセンサー２６１は、フロントスライダ２２０がスライドしたことを検知した場合に、第２のトリガ信号を生成してメインボード７２１に報知することができる。メインボード７２１が第１のアプリケーションを実行しているとともに、第２のアプリケーションの開始請求を受信した場合に、メインボード７２１は、開始請求に基づいて第２のアプリケーションを開始し、第２のトリガ信号に基づいて、第２のアプリケーションがフロント素子２２２を呼び出すことを許可し、スクリーン７１１の画面を分割して取得された第１の領域内に第１のアプリケーションを表示し、画面を分割して取得された第２の領域内に第２のアプリケーションを表示する。
【００７２】
ここの第１のアプリケーションは、フロント素子２２２を呼び出す必要がないアプリケーションであり、第２のアプリケーションは、フロント素子２２２を呼び出す必要のあるアプリケーションであり、例えば、第２のアプリケーションは、フロントカメラ及びスピーカを呼び出すビデオ通話アプリケーション等であり、本実施例は、これについて限定しない。メインボード７２１が、開始請求に基づいて第２のアプリケーションを開始した後、第２のトリガ信号は、ユーザがフロントスライダ２２０を第１の位置から第２の位置までスライドさせる時に生成された信号であり、それに、第１のアプリケーションが、フロント素子２２２を呼び出す必要がないため、ユーザは、第２のアプリケーションがフロント素子２２２を呼び出すことを許可したことが分かり、この場合に、メインボード７２１は、第２のアプリケーションがフロント素子２２２を呼び出すことを許可する。メインボード７２１が、この場合に、第１のアプリケーションを実行しているので、第１のアプリケーションの実行を邪魔しないために、メインボード７２１は、スクリーン７１１の画面を分割することにより、スクリーン７１１を２つの表示領域に分割し、第１の領域内に第１のアプリケーションを表示し、第２の領域内に第２のアプリケーションを表示し、アプリケーションを２画面で表示する効果を達成することができる。
【００７３】
ここで、ホールセンサー２６１が第２のトリガ信号を生成する過程は、第１のトリガ信号を生成する過程と同じであるため、ここで説明を省略する。
【００７４】
第１のアプリケーション閲覧類のアプリケーションであり、第２のアプリケーションがビデオ通話アプリケーションである場合を例とし、端末は、スクリーン２１０の第１の領域内に書籍のページを表示し、第２の領域内に通話中の相手側の撮影画面を表示する。
【００７５】
以上により、本開示によって提供された端末は、フロント素子をフロントスライダに設置することにより、フロント素子を使用する必要がある場合に、フロント素子がフロントパネルによって遮蔽されていない第２の位置に位置するように制御することにより、フロント素子が正常に使用できることが確保され、フロント素子を使用する必要がない場合に、フロント素子を端末のフロントパネルに固定する必要がなく、フロント素子がフロントパネルによって遮蔽されている第１の位置に位置するように制御することにより、フロントパネルにおけるスクリーンの比率が向上する。
【００７６】
図９は、例示的な一実施例に示されるフロントアセンブリスライド構造の制御方法のフローチャートであり、当該フロントアセンブリスライド構造の制御方法は、図７または図８に示す端末に応用される。図９に示すように、当該フロントアセンブリスライド構造の制御方法は、以下のステップ９０１〜ステップ９０３を含む。
【００７７】
ステップ９０１において、制御命令を受信する。
【００７８】
ステップ９０２において、フロントスライダが第１の位置から第２の位置までスライドするように、制御命令に基づいて、第１の磁性体と第２の磁性体との間に第１の方向の作用力が存在するように制御する。
【００７９】
ここで、第１の位置は、フロントスライダにおけるフロント素子がフロントパネルによって遮蔽されている位置であり、第２の位置は、フロントスライダにおけるフロント素子がフロントパネルによって遮蔽されていない位置である。
【００８０】
ステップ９０３において、フロントスライダが第２の位置から第１の位置までスライドするように、制御命令に基づいて、第１の磁性体と第２の磁性体との間に第２の方向の作用力が存在するように制御する。
【００８１】
ここで、第２の方向は、第１の方向と反対である。
【００８２】
以上により、本開示によって提供されたフロントアセンブリスライド構造の制御方法は、フロント素子をフロントスライダに設置することにより、フロント素子を使用する必要がある場合に、制御命令に基づいてフロント素子がフロントパネルによって遮蔽されていない第２の位置に位置しするように制御することにより、フロント素子が正常に使用できることが確保され、フロント素子を使用する必要がない場合に、フロント素子を端末のフロントパネルに固定する必要がなく、制御命令に基づいてフロント素子がフロントパネルによって遮蔽されている第１の位置に位置するように制御することにより、フロントパネルにおけるスクリーンの比率が向上する。
【００８３】
図１０は、例示的な他の実施例に示されるフロントアセンブリスライド構造の制御方法のフローチャートであり、当該フロントアセンブリスライド構造の制御方法は、端末に応用される。図１０に示すように、当該フロントアセンブリスライド構造の制御方法は、以下のステップ１００１〜ステップ１００３を含む。
【００８４】
ステップ１００１において、制御命令を受信する。
【００８５】
ここで、制御命令は、端末がシーン需要に応じて生成されるものであってもよい。例えば、ユーザが着信に応答した場合に、端末は、ユーザがフロントスライダにおけるスピーカを使用する必要があると決定し、制御命令を生成して、フロントスライダがスライドするように制御して、スピーカを露出させてユーザに利使用させる。また、例えば、ユーザがセルフ撮影したい場合に、端末は、ユーザがフロントスライダにおけるフロントカメラを使用する必要があると決定し、制御命令を生成してフロントスライダがスライドするように制御して、フロントカメラがを露出させてユーザに使用される。又は、制御命令は端末によって受信されるものであり、例えば、端末によって受信された音声又はジェスチャ又は文字等の命令であってもよい。本実施例は、制御命令の取得方式を限定しない。
【００８６】
ステップ１００２において、第１の磁性体が電磁石であり、第２の磁性体が第１の磁石及び第２の磁石を含み、又は、第１の磁性体が第１の磁石及び第２の磁石を含み、第２の磁性体が電磁石である場合に、フロントスライダが第１の位置から第２の位置までスライドするように、制御命令に基づいて第３の方向の電流を生成し、第３の方向の電流は、電磁石を磁化し、磁化された電磁石は、第１の磁石との間には、第１の方向の吸引力が存在し、第２の磁石との間には、第１の方向の反発力が存在する。
【００８７】
電磁石は、通電により電磁を生成する装置であり、一般的に、軟磁性体及び当該軟磁性体の外部に巻き付けられるコイルからなる。コイルに電流が流れる場合に、軟磁性体が磁化され、磁化された軟磁性体は、磁性を有するようになる。ここで、電磁石の磁極は、コイルにおける電流の方向に関係する。仮にコイルに順方向電流が流れると、電磁石の一端の磁極が北極（Ｎ極）であり、コイルに逆方向電流が流れると、電磁石の当該一端の磁極が南極（Ｓ極）である。
【００８８】
第１の方向は、フロントスライダが端末内部から端末外部にスライドするスライド方向である。端末の中心を原点として３次元座標軸を構築し、且つｘ軸を端末の底辺に平行させ、ｙ軸を端末の側辺に平行させ、ｚ軸を端末が位置する平面に垂直させる場合、フロントスライダが端末の頂部から引き出され、又は端末の頂部に引き込まれると仮定すると、第１の方向は、ｙ軸が位置する方向であり、フロントスライダが端末の側辺から引き出され、又は端末の側辺に引き込まれると仮定すると、第１の方向は、ｘ軸が位置する方向である。
【００８９】
第１の位置は、フロントスライダにおけるフロント素子がフロントパネルによって遮蔽されている位置であり、第２の位置は、フロントスライダにおけるフロント素子がフロントパネルによって遮蔽されていない位置である。
【００９０】
ステップ１００３において、フロントスライダが第２の位置から第１の位置までスライドするように、制御命令に基づいて第４の方向の電流を生成し、第４の方向の電流は、電磁石を磁化し、磁化された電磁石と第１の磁石との間には、第２の方向の反発力が存在し、電磁石と第２の磁石との間には、第２の方向の吸引力が存在する。
【００９１】
ここで、第４の方向は、第３の方向と反対である。即ち、第３の方向が順方向である場合に、第４の方向が逆方向であり、第３の方向が逆方向である場合に、第４の方向が順方向である。
【００９２】
第２の方向は、フロントスライダが端末外部から端末内部にスライドするスライド方向であり、第１の方向は第２の方向と反対である。依然として、上記の３次元座標軸を例とし、フロントスライダが端末の頂部から引き出され、又は端末の頂部に引き込まれると仮定すると、第２の方向は、ｙ軸が位置する方向であり、フロントスライダが端末の側辺から引き出され、又は端末の側辺に引き込まれると仮定すると、第２の方向は、ｘ軸が位置する方向である。
【００９３】
本実施例において、上述した端末によって電流を自動的に生成することでフロントスライダがスライドするように駆動する場合のほか、まず、フロントスライダがスライドするようにユーザによって手動で制御し、端末は、フロントスライダがスライドしたことを検知した場合に、電流を生成して、フロントスライダがスライドすることに寄与することができる。この場合に、フロントアセンブリスライド構造が、ホール素子をさらに含むと、当該方法は、ホールセンサーによって報知された、ホールセンサーが第３の磁性体に基づいてフロントスライダがユーザの作用でフロントパネルに対してスライドしていると決定した時に生成した第１のトリガ信号を受信するステップと、第１のトリガ信号に基づいてスライドしているスライド方向が第１の方向であると決定した場合に、第３の方向の電流を生成し、電流を電磁石に出力するステップと、第１のトリガ信号に基づいて、スライドしているスライド方向が第２の方向であると決定した場合に、第４の方向の電流を生成し、電流を電磁石に出力するステップと、をさらに含む。
【００９４】
ここで、ホール素子は、ホールセンサー及び第３の磁石を含む。ユーザが、フロントスライダがスライドするように制御する場合に、第３の磁石の磁力線が横切られるため、ホールセンサーは、フロントスライドがスライドしたことを検知することができ、この場合に、ホールセンサーは、端末に第１のトリガ信号を報知する。端末は、第１のトリガ信号に基づいてフロントスライダのスライド方向が第１の方向であると決定した場合に、第３の方向の電流を生成し、第３の方向の電流を電磁石に出力することにより、第１の磁性体と第２の磁性体との間には、第１の方向の作用力が生成されて、フロントスライダが第２の位置に到達して停止するまで第１の方向にスライドし続けることに寄与する。端末は、第１のトリガ信号に基づいて、フロントスライダのスライド方向が第２の方向であると決定した場合に、第４の方向の電流を生成し、第４の方向の電流を電磁石に出力することにより、第１の磁性体と第２の磁性体との間には、第２の方向の作用力が生成されて、フロントスライダが第１の位置に到達して停止するまで第２の方向にスライドし続けることに寄与する。
【００９５】
本実施例において、ホール素子に対して、その他の制御機能をさらに開発することができる。２画面制御を例とし、当該方法は、ホールセンサーによって報知された、ホールセンサーが第３の磁石に基づいてフロントスライダがユーザの作用でフロントパネルに対してスライドしていると決定した時に生成した第２のトリガ信号を受信するステップと、第１のアプリケーションを実行しているとともに、第２のアプリケーションの開始請求を受信した場合に、開始請求に基づいて第２のアプリケーションを開始し、第２のトリガ信号に基づいて、第２のアプリケーションがフロント素子を呼び出すことを許可し、スクリーンの画面を分割して取得された第１の領域内に第１のアプリケーションを表示し、画面を分割して取得された第２の領域内に第２のアプリケーションを表示するステップと、をさらに含む。
【００９６】
ここの第１のアプリケーションは、フロント素子を呼び出す必要がないアプリケーションであり、第２のアプリケーションは、フロント素子を呼び出す必要のあるアプリケーションであり、例えば、第２のアプリケーションは、フロントカメラ及びスピーカを呼び出すビデオ通話アプリケーション等であり、本実施例は、これについて限定しない。端末が開始請求に基づいて第２のアプリケーションを開始した後、第２のトリガ信号は、ユーザがフロントスライダを第１の位置から第２の位置までスライドさせる時に生成された信号であり、それに、第１のアプリケーションが、フロント素子を呼び出す必要がないため、ユーザは、第２のアプリケーションがフロント素子を呼び出すことを許可したことが分かり、この場合に、端末は、第２のアプリケーションがフロント素子を呼び出すことを許可する。端末が、この場合に、第１のアプリケーションを実行しているので、第１のアプリケーションの実行を邪魔しないために、端末は、スクリーンの画面を分割することにより、スクリーンを２つの表示領域に分割し、第１の領域内に第１のアプリケーションを表示し、第２の領域内に第２のアプリケーションを表示し、アプリケーションを２画面で表示する効果を達成することができる。
【００９７】
ここで、ホールセンサーが第２のトリガ信号を生成する過程は、第１のトリガ信号を生成する過程と同じであるため、ここで説明を省略する。
【００９８】
第１のアプリケーションが閲覧類のアプリケーションであり、第２のアプリケーションがビデオ通話アプリケーションである場合を例として、端末は、スクリーンの第１の領域内に書籍のページを表示し、第２の領域内に通話中の相手側の撮影画面を表示する。
【００９９】
以上により、本開示によって提供されたフロントアセンブリスライド構造の制御方法は、フロント素子をフロントスライダに設置することにより、フロント素子を使用する必要がある場合に、制御命令に基づいてフロント素子がフロントパネルによって遮蔽されていない第２の位置に位置しするように制御することにより、フロント素子が正常に使用できることが確保され、フロント素子を使用する必要がない場合に、フロント素子を端末のフロントパネルに固定する必要がなく、制御命令に基づいてフロント素子がフロントパネルによって遮蔽されている第１の位置に位置するように制御することにより、フロントパネルにおけるスクリーンの比率が向上する。
【０１００】
ホールセンサーにより、第３の磁石に基づいてフロントスライダがパネルスライドに対してスライドしている方向を決定し、スライド方向が第１の方向である場合に、第３の方向の電流を生成するようにトリガし、スライド方向が第２の方向である場合に、第４の方向の電流を生成するようにトリガして、その後、電流により電磁石を磁化ことにより、第１の磁性体と第２の磁性体との間には、作用力が生成されて、フロントスライダが第１の位置又は第２の位置に到達して停止するまでスライドし続けることに寄与する。このように、ユーザは、まずフロントスライダに非常に小さい作用力を加えることにより、フロントスライダがスライド傾向にある場合に、フロントスライダは、端末によって自動的に生成された作用力の作用でスライドし続けることができ、ユーザの労力を節約することができる。
【０１０１】
図１１は、例示的な一実施例に示されるフロントアセンブリスライド構造の制御装置のブロック図であり、当該フロントアセンブリスライド構造の制御装置は、図７または図８に示される端末に応用される。図１１に示すように、当該フロントアセンブリスライド構造の制御装置は、受信モジュール１１１０及び制御モジュール１１２０を含む。
【０１０２】
当該受信モジュール１１１０は、制御命令を受信するように構成される。
【０１０３】
当該制御モジュール１１２０は、フロントスライダが第１の位置から第２の位置までスライドするように、受信モジュール１１１０によって受信された制御命令に基づいて、第１の磁性体と第２の磁性体との間に第１の方向の作用力が存在するように制御するように構成される。
【０１０４】
当該制御モジュール１１２０は、さらに、フロントスライダが第２の位置から第１の位置までスライドするように、受信モジュール１１１０によって受信された制御命令に基づいて、第１の磁性体と第２の磁性体との間には第１の方向と反対である第２の方向の作用力が存在するように制御するように構成される。
【０１０５】
ここで、第１の位置は、フロントスライダにおけるフロント素子がフロントパネルによって遮蔽されている位置であり、第２の位置は、フロントスライダにおけるフロント素子がフロントパネルによって遮蔽されていない位置である。
【０１０６】
以上により、本開示によって提供されたフロントアセンブリスライド構造の制御装置は、フロント素子をフロントスライダに設置することにより、フロント素子を使用する必要がある場合に、制御命令に基づいてフロント素子がフロントパネルによって遮蔽されていない第２の位置に位置しするように制御することにより、フロント素子が正常に使用できることが確保され、フロント素子を使用する必要がない場合に、フロント素子を端末のフロントパネルに固定する必要がなく、制御命令に基づいてフロント素子がフロントパネルによって遮蔽されている第１の位置に位置するように制御することにより、フロントパネルにおけるスクリーンの比率が向上する。
【０１０７】
図１２は、例示的な一実施例に示されるフロントアセンブリスライド構造の制御装置のブロック図であり、当該フロントアセンブリスライド構造の制御装置は、図７または図８に示される端末に応用される。図１２に示すように、当該フロントアセンブリスライド構造の制御装置は、受信モジュール１２１０及び制御モジュール１２２０を含む。
【０１０８】
当該受信モジュール１２１０は、制御命令を受信するように構成される。
【０１０９】
当該制御モジュール１２２０は、フロントスライダが第１の位置から第２の位置までスライドするように、受信モジュール１２１０によって受信された制御命令に基づいて、第１の磁性体と第２の磁性体との間に第１の方向の作用力が存在するように制御するように構成される。
【０１１０】
当該制御モジュール１２２０は、さらに、フロントスライダが第２の位置から第１の位置までスライドするように、受信モジュール１２１０によって受信された制御命令に基づいて、第１の磁性体と第２の磁性体との間に第１の方向と反対である第２の方向の作用力が存在するように制御するように構成される。
【０１１１】
ここで、第１の位置は、フロントスライダにおけるフロント素子がフロントパネルによって遮蔽されている位置であり、第２の位置は、フロントスライダにおけるフロント素子がフロントパネルによって遮蔽されていない位置である。
【０１１２】
選択可能に、第１の磁性体が電磁石であり、第２の磁性体が第１の磁石及び第２の磁石を含み、又は、第１の磁性体が第１の磁石及び第２の磁石を含み、第２の磁性体が電磁石である場合に、制御モジュール１２２０は、さらに、
制御命令に基づいて、第３の方向の電流を生成し、第３の方向の電流は、電磁石を磁化し、磁化された電磁石は、第１の磁石との間には、第１の方向の吸引力が存在し、第２の磁石との間には、第１の方向の反発力が存在するように構成される。
【０１１３】
選択可能に、制御モジュール１２２０は、さらに、
制御命令に基づいて、第３の方向と反対である第４の方向の電流を生成し、第４の方向の電流は、電磁石を磁化し、磁化された電磁石と第１の磁石との間には、第２の方向の反発力が存在し、電磁石と第２の磁石との間には、第２の方向の吸引力が存在するように構成される。
【０１１４】
選択可能に、フロントアセンブリスライド構造が、ホール素子をさらに含む場合に、  
受信モジュール１２１０は、さらに、ホールセンサーによって報知された、ホールセンサーが第３の磁石に基づいてフロントスライダがユーザの作用でフロントパネルに対してスライドしていると決定した時に生成した第１のトリガ信号を受信するように構成される。
【０１１５】
装置は、生成モジュール１２３０をさらに含み、当該生成モジュール１２３０は、第１のトリガ信号に基づいて、スライドするスライド方向が第１の方向であると決定した場合に、第３の方向の電流を生成し、電流を電磁石に出力し、第１のトリガ信号に基づいて、スライドするスライド方向が第２の方向であると決定した場合に、第４の方向の電流を生成し、電流を電磁石に出力するように構成される。
【０１１６】
選択可能に、フロントアセンブリスライド構造がホール素子をさらに含む場合に、  
受信モジュール１２１０は、さらに、ホールセンサーによって報知された、ホールセンサーが第３の磁石に基づいてフロントスライダがユーザの作用でフロントパネルに対してスライドしていると決定した時に生成した第２のトリガ信号を受信するように構成される。
【０１１７】
装置は、画面分割モジュール１２４０をさらに含み、当該画面分割モジュール１２４０は、第１のアプリケーションを実行しているとともに、第２のアプリケーションの開始請求を受信した場合に、開始請求に基づいて第２のアプリケーションを開始し、第２のトリガ信号に基づいて、第２のアプリケーションがフロント素子を呼び出すことを許可し、スクリーンの画面を分割して取得された第１の領域内に第１のアプリケーションを表示し、画面を分割して取得された第２の領域内に第２のアプリケーションを表示するように構成される。
【０１１８】
以上により、本開示によって提供されたフロントアセンブリスライド構造の制御装置は、フロント素子をフロントスライダに設置することにより、フロント素子を使用する必要がある場合に、制御命令に基づいてフロント素子がフロントパネルによって遮蔽されていない第２の位置に位置しするように制御することにより、フロント素子が正常に使用できることが確保され、フロント素子を使用する必要がない場合に、フロント素子を端末のフロントパネルに固定する必要がなく、制御命令に基づいてフロント素子がフロントパネルによって遮蔽されている第１の位置に位置するように制御することにより、フロントパネルにおけるスクリーンの比率が向上する。
【０１１９】
ホールセンサーにより、第３の磁石に基づいてフロントスライダがパネルスライドに対してスライドしている方向を決定し、スライド方向が第１の方向である場合に、第３の方向の電流を生成するようにトリガし、スライド方向が第２の方向である場合に、第４の方向の電流を生成するようにトリガして、その後、電流により電磁石を磁化ことにより、第１の磁性体と第２の磁性体との間には、作用力が生成されて、フロントスライダが第１の位置又は第２の位置に到達して停止するまでスライドし続けることに寄与する。このように、ユーザは、まずフロントスライダに非常に小さい作用力を加えることにより、フロントスライダがスライド傾向にある場合に、フロントスライダは、端末によって自動的に生成された作用力の作用でスライドし続けることができ、ユーザの労力を節約することができる。
【０１２０】
上記の実施例における装置について、その各モジュールが操作を実行する具体的な態様は、既に当該方法の実施例で詳しく説明されたため、ここで詳しい説明を省略する。
【０１２１】
本開示の例示的な一実施例は、本開示によって提供されたフロントアセンブリスライド構造の制御方法を実現可能なフロントアセンブリスライド構造の制御装置を提供し、当該フロントアセンブリスライド構造の制御装置は、プロセッサと、プロセッサによって実行可能な命令を記憶するためのメモリと、を含み、
ここで、プロセッサは、
制御命令を受信するステップと、
フロントスライダが第１の位置から第２の位置までスライドするように、制御命令に基づいて、第１の磁性体と第２の磁性体との間に第１の方向の作用力が存在するように制御するステップと、
フロントスライダが第２の位置から第１の位置までスライドするように、制御命令に基づいて、第１の磁性体と第２の磁性体との間には第１の方向と反対である第２の方向の作用力が存在するように制御するステップと、を実行するように構成され、
第１の位置は、フロントスライダにおけるフロント素子がフロントパネルによって遮蔽されている位置であり、第２の位置は、フロントスライダにおけるフロント素子がフロントパネルによって遮蔽されていない位置である。
【０１２２】
図１３は、例示的な一実施例に示されるフロントアセンブリスライド構造の制御に使用される装置１３００のブロック図である。例えば、装置１３００は、携帯電話、コンピュータ、デジタル放送端末、メッセージングデバイス、ゲームコンソール、タブレットデバイス、医療機器、フィットネス機器、パーソナルデジタルアシスタントなどであってもよい。
【０１２３】
図１３を参照すると、装置１３００は、処理ユニット１３０２、メモリ１３０４、電源ユニット１３０６、マルチメディアユニット１３０８、オーディオユニット１３１０、入力／出力（Ｉ／Ｏ）インターフェース１３１２、センサーユニット１３１４、及び通信ユニット１３１６の１つ又は複数を含むことができる。
【０１２４】
処理ユニット１３０２は、通常、表示、電話呼び出し、データ通信、カメラ動作、および記憶動作に関連する動作などの装置１３００の全体的な動作を制御する。処理ユニット１３０２は、上記方法のステップの全部または一部を実行するための命令を実行する１つまたは複数のプロセッサ１３２０を含むことができる。
さらに、処理ユニット１３０２は、ユニット１３０２と他のユニットとのインタラクションを容易にするために、１つまたは複数のモジュールを含むことができる。 例えば、処理ユニット１３０２は、マルチメディアユニット１３０８と処理ユニット１３０２とのインタラクションを容易にするために、マルチメディアモジュールを含むことができる。
【０１２５】
メモリ１３０４は、デバイス１３００での動作をサポートするために様々なタイプのデータを記憶するように構成される。これらのデータの例は、デバイス１３００上で動作する任意のアプリケーション又は方法の命令、連絡先データ、電話帳データ、メッセージ、写真、ビデオなどを含む。
メモリ１３０４は、スタティック・ランダム・アクセス・メモリ（ＳＲＡＭ）、電気的消去可能プログラマブル読み出し専用メモリ（ＥＥＰＲＯＭ）、消去可能プログラマブル読み出し専用メモリ（ＥＥＰＲＯＭ）、プログラマブル読み出し専用メモリ（ＰＲＯＭ）、読み出し専用メモリ（ＲＯＭ）、磁気メモリ、フラッシュメモリ、ディスク又はＣＤのような任意のタイプの揮発性又は不揮発性記憶装置、又はそれらの組み合わせよって実現することができる。
【０１２６】
電源ユニット１３０６は、装置１３００の様々なユニットに電源を供給する。 電源ユニット１３０６は、電源管理システム、１つ又は複数の電源、及び装置１３００の電源の生成、管理、及び分配に関連する他のユニットを含むことができる。
【０１２７】
マルチメディアユニット１３０８は、出力インタフェースを提供する、装置１３００とユーザとの間のスクリーンを含む。 一部の実施例では、スクリーンは、液晶ディスプレイ（ＬＣＤ）とタッチパネル（ＴＰ）とを含むことができる。
画面がタッチパネルを含む場合、画面は、ユーザからの入力信号を受信するためのタッチスクリーンとして実現することができる。タッチパネルは、タッチ、スライド及びタッチパネル上のジェスチャを感知するための１つまたは複数のタッチセンサ−を含む。前記タッチセンサ−は、タッチ又はスライド動作の境界を感知するだけでなく、前記タッチ又はスライド動作に関連する持続時間及び圧力も検出することができる。一部の実施例では、マルチメディアユニット１３０８は、フロントカメラおよび/またはリアカメラを含む。 装置１３００が撮影モード又はビデオモードのような動作モードにあるとき、フロントカメラおよび/またはリアカメラは、外部のマルチメディアデータを受信することができる。 各フロントカメラ及びリアカメラは、固定光学レンズシステムであってもよいし、焦点距離及び光学ズーム能力を有してもよい。
【０１２８】
オーディオユニット１３１０は、オーディオ信号を出力および/または入力するように構成される。例えば、オーディオユニット１３１０は、１つのマイクロフォン（ＭＩＣ）を含み、装置１３００が、呼び出しモード、記憶モード、及び音声認識モードなどの動作モードにあるとき、マイクロフォンが外部オーディオ信号を受信するように構成される。受信されたオーディオ信号は、メモリ１３０４にさらに記憶されてもよいし、又は通信ユニット１３１６を介して送信されてもよい。
一部の実施例では、オーディオユニット１３１０は、オーディオ信号を出力するためのスピーカをさらに含む。
【０１２９】
（Ｉ／Ｏ）インターフェース１３１２は、処理ユニット１３０２と周辺機器インターフェースモジュールとの間のインターフェースを提供し、上記周辺機器インターフェースモジュールは、キーボード、クリックホイール、ボタンなどであってもよい。これらのボタンは、ホームボタン、音量ボタン、開始ボタン、及びロックボタンを含むことができるが、これらに限定されない。
【０１３０】
センサ−ユニット１３１４は、各方面の状態評価を装置１３００に提供するための１つ又は複数のセンサ−を含む。例えば、センサ−ユニット１３１４は、装置１３００のオン・オフ状態、装置１３００のディスプレイ及びキーパッドなどのユニットの相対的な位置決めを検出することができるとともに、センサーユニット１３１４は、装置１３００又は装置１３００の１つのユニットの位置の変化、ユーザと装置１３００との接触の有無、装置１３００の向き又は加速/減速、及び装置１３００の温度変化を検出することもできる。センサ−ユニット１３１４は、物理的接触なしで近くの物体の存在を検出するように構成された近接センサ−を含むことができる。
センサ−ユニット１３１４は、イメージング用途に使用するためのＣＭＯＳ又はＣＣＤイメージセンサ−などの光センサ−を含むことができる。一部の実施例では、当該センサ−ユニット１３１４は、加速度センサ−、ジャイロセンサ−、磁気センサ−、圧力センサ−、又は温度センサ−をさらに含むことできる。
【０１３１】
通信ユニット１３１６は、装置１３００と他の装置との間の有線又は無線通信を容易にするように構成される。装置１３００は、通信規格に基づいた無線ネットワーク、例えば、ＷＩＦＩ、２Ｇ又は３Ｇ、又はそれらの組み合わせにアクセスすることができる。例示的な一実施例では、通信ユニット１３１６は、ブロードキャストチャネルを介して外部ブロードキャスト管理システムからのブロードキャスト信号又はブロードキャスト関連情報を受信する。例示的な一実施例では、前記通信ユニット１３１６は、近距離通信を促進する近距離通信（ＮＦＣ）モジュールをさらに含む。例えば、ＮＦＣモジュールは、無線周波数識別（ＲＦＩＤ）技術、赤外線データアソシエーション（ＩＲＤＡ）技術、超広帯域（ＵＷＢ）技術、ブルートゥース（登録商標）（ＢＴ）技術、及び他の技術に基づいて実現することができる。
【０１３２】
例示的な実施例では、装置１３００は、１つ又は複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、コントローラ、マイクロコントローラ、マイクロプロセッサ又は他の電子デバイスによって実現することができ、上記方法を実行するために使用される。
【０１３３】
例示的な実施例において、命令を含む非一時的なコンピュータ読み取り可能な記憶媒体がさらに提供され、例えば、命令を含むメモリ１３０４、上記命令は、装置１３００のプロセッサ１３２０によって実行されて方法を完成する。例えば、非一時的なコンピュータ読み取り可能な記憶媒体は、ＲＯＭ、ランダムアクセスメモリ（ＲＡＭ）、ＣＤ-ＲＯＭ、カセットテープ、フロッピーディスク、及び光データ記憶装置であってもよい。
【０１３４】
非一時的コンピュータ読み取り可能な記憶媒体は、前記記憶媒体における命令が移動端末のプロセッサによって実行される場合、移動端末が上記フロントアセンブリスライド構造の制御方法を実行可能である。
【０１３５】
本開示の例示的な一実施例は、少なくとも１つの命令、少なくとも一部のプログラム、コードセット又は命令セットが記憶されるコンピュータ読み取り可能な記憶媒体であって、前記少なくとも１つの命令、前記少なくとも１つのプログラム、前記コードセット又は命令セットは、プロセッサによってロードされ、実行されることにより、上記のようなフロントアセンブリスライド構造の制御方法を実現するコンピュータ読み取り可能な記憶媒体を提供する。
【０１３６】
当業者は、明細書を考慮してここで開示される発明を実施した後、本発明の他の実施案を容易に想到することができる。本出願は、本発明のいかなる変形、用途又は適宜な変化を含むことを主旨とし、これらの変形、用途又は適宜な変化は、本発明の一般的な原理に従るとともに、本開示で開示されていない当分野の公知常識又は慣用技術手段を含む。明細書及び実施例は、例示するものに過ぎなく、本発明の本当な範囲及び主旨は、以下の請求の範囲によって示される。
【０１３７】
なお、本発明は、上記説明に記載され、図面に示されている厳密な構成に限定されず、その範囲から逸脱しない限り、様々な修正及び変更を行うことができる。本開示の範囲は、添付の特許請求の範囲のみによって限定される。
【図１】
0006853835.tif 000002
【図２】
0006853835.tif 000003
【図３】
0006853835.tif 000004
【図４】
0006853835.tif 000005
【図５】
0006853835.tif 000006
【図６】
0006853835.tif 000007
【図７】
0006853835.tif 000008
【図８】
0006853835.tif 000009
【図９】
0006853835.tif 000010
【図１０】
0006853835.tif 000011
【図１１】
0006853835.tif 000012
【図１２】
0006853835.tif 000013
【図１３】
0006853835.tif 000014